(57)【特許請求の範囲】
【請求項１】
楽曲情報に基づいて再生を行う楽曲再生処理と、
マイクロホンから入力される歌唱音声信号に基づいて歌唱評価を行う歌唱評価処理と、
前記楽曲再生処理中、前記歌唱評価が所定条件を満たしていない要練習区間を特定する区間特定処理と、
１楽曲分の前記楽曲情報について前記楽曲再生処理を終了した後、当該楽曲情報を最初から再生開始し、前記区間特定処理で特定した前記要練習区間に対し前記歌唱評価処理を実行し、前記要練習区間の歌唱評価が所定条件を満たした場合には、前記楽曲情報の再生を継続し、前記要練習区間の歌唱評価が所定条件を満たしていない場合には、前記要練習区間を含んだ繰り返し区間の先頭に戻って再生する反復練習処理と、を実行し、
前記楽曲再生処理の終了時、ユーザに対して前記反復練習処理の実行の可否を問い、前記反復練習処理の実行が指定された場合、前記反復練習処理を実行することを特徴とする
カラオケ装置。
【請求項２】
楽曲情報に基づいて再生を行う楽曲再生処理と、
マイクロホンから入力される歌唱音声信号に基づいて歌唱評価を行う歌唱評価処理と、
前記楽曲再生処理中、前記歌唱評価が所定条件を満たしていない要練習区間を特定する区間特定処理と、
１楽曲分の前記楽曲情報について前記楽曲再生処理を終了した後、当該楽曲情報を最初から再生開始し、前記区間特定処理で特定した前記要練習区間に対し前記歌唱評価処理を実行し、前記要練習区間の歌唱評価が所定条件を満たした場合には、前記楽曲情報の再生を継続し、前記要練習区間の歌唱評価が所定条件を満たしていない場合には、前記要練習区間を含んだ繰り返し区間の先頭に戻って再生する反復練習処理と、を実行し、
前記反復練習処理において、前記要練習区間の前区間、あるいは、前記要練習区間を再生する際、ユーザに対して通知することを特徴とする
カラオケ装置。
【請求項３】
前記楽曲再生処理の終了時、ユーザに対して前記反復練習処理の実行の可否を問い、前記反復練習処理の実行が指定された場合、前記反復練習処理を実行することを特徴とする
請求項２に記載のカラオケ装置。
【請求項４】
予約された楽曲に対応する前記楽曲情報を、順次、前記楽曲再生処理で再生させる予約処理を実行可能とし、
前記楽曲再生処理の終了後、所定期間内に、前記反復練習処理の実行が指定されない場合、次に予約されている楽曲について前記楽曲再生処理を実行することを特徴とする
請求項１または請求項３に記載のカラオケ装置。
【請求項５】
前記区間特定処理は、前記要練習区間を複数特定可能とし、
前記反復練習処理は、１の前記繰り返し区間を繰り返し再生し、当該繰り返し区間について前記歌唱評価が所定条件を満たした場合、次の前記繰り返し区間を繰り返し再生することを特徴とする
請求項１から請求項４の何れか１項に記載のカラオケ装置。
【請求項６】
前記繰り返し区間には、前記要練習区間の前に前記楽曲情報を再生する前区間が設けられていることを特徴とする
請求項４に記載のカラオケ装置。
【請求項７】
前記繰り返し区間には、前記要練習区間の後に前記楽曲情報を再生する後区間が設けられていることを特徴とする
請求項４または請求項５に記載のカラオケ装置。
【請求項８】
前記反復練習処理は、前記後区間において、前記要練習区間に対する前記歌唱評価に対応したメッセージを表示部に表示することを特徴とする
請求項７に記載のカラオケ装置。
【請求項９】
楽曲情報に基づいて再生を行う楽曲再生処理と、
マイクロホンから入力される歌唱音声信号に基づいて歌唱評価を行う歌唱評価処理と、
前記楽曲再生処理中、前記歌唱評価が所定条件を満たしていない要練習区間を特定する区間特定処理と、
１楽曲分の前記楽曲情報について前記楽曲再生処理を終了した後、当該楽曲情報を最初から再生開始し、前記区間特定処理で特定した前記要練習区間に対し前記歌唱評価処理を実行し、前記要練習区間の歌唱評価が所定条件を満たした場合には、前記楽曲情報の再生を継続し、前記要練習区間の歌唱評価が所定条件を満たしていない場合には、前記要練習区間を含んだ繰り返し区間の先頭に戻って再生する反復練習処理と、を情報処理装置に実行させ、
前記反復練習処理において、前記要練習区間の前区間、あるいは、前記要練習区間を再生する際、ユーザに対して通知することを特徴とする
カラオケ用プログラム。
【発明の詳細な説明】
【技術分野】
【０００１】
本発明は、演奏に合わせて歌唱を楽しむことのできるカラオケ装置及びカラオケ用プログラムに関する。特に、苦手な箇所の歌唱練習を行うことのできるカラオケ装置及びカラオケ用プログラムに関する。
【背景技術】
【０００２】
従来、カラオケ装置では、歌唱者が発する歌唱音声情報の音高を模範音高と比較することで、採点を行う歌唱評価が行われている。カラオケ装置における歌唱評価を利用することで、ユーザは自己の歌唱の実力を把握し、歌唱力の向上に努めることが可能となる。特許文献１には、区間毎の歌唱評価を行うカラオケ装置において、ユーザが巻き戻し指示を与えることで、楽曲の演奏ポイントをその時点よりも前に戻すことが開示されている。ユーザは区間毎の歌唱評価を確認し、評価が低かった区間について高い評価が得られるまで繰り返し練習することが可能である。また、評価が低かった区間について、評価が甘いモードに変更して歌い直すことで、新たな評価基準で評価を受け直すことが可能となっている。
【先行技術文献】
【特許文献】
【０００３】
【特許文献１】特許第４１２６８４９号公報
【発明の概要】
【発明が解決しようとする課題】
【０００４】
特許文献１に開示されるカラオケ装置では、区間毎の評価を自分で確認し、巻き戻し指示を与えることで歌唱練習が行われる。したがって、ユーザは、入力装置やリモコンを操作しながら歌唱する必要があり、歌唱の練習に集中することができない。また、カラオケボックスやスナック等のナイト店のように、複数人が集って歌唱する場では、何度も巻き戻して再生した場合、１の楽曲の再生が長時間となり、他のユーザの迷惑になることが考えられる。また、区間が継ぎ接ぎされた歌唱となるため、１つの楽曲を通しで歌唱する爽快感も得ることができない。
【課題を解決するための手段】
【０００５】
本発明は、上述する課題を解決することを目的とするものであり、そのため、本発明に係るカラオケ装置は以下の構成を採用するものである。
楽曲情報に基づいて再生を行う楽曲再生処理と、
マイクロホンから入力される歌唱音声信号に基づいて歌唱評価を行う歌唱評価処理と、
前記楽曲再生処理中、前記歌唱評価が所定条件を満たしていない要練習区間を特定する区間特定処理と、
１楽曲分の前記楽曲情報について前記楽曲再生処理を終了した後、当該楽曲情報を最初から再生開始し、前記区間特定処理で特定した前記要練習区間に対し前記歌唱評価処理を実行し、前記要練習区間の歌唱評価が所定条件を満たした場合には、前記楽曲情報の再生を継続し、前記要練習区間の歌唱評価が所定条件を満たしていない場合には、前記要練習区間を含んだ繰り返し区間の先頭に戻って再生する反復練習処理と、を実行し、
前記楽曲再生処理の終了時、ユーザに対して前記反復練習処理の実行の可否を問い、前記反復練習処理の実行が指定された場合、前記反復練習処理を実行することを特徴とする。
また、本発明に係るカラオケ装置は以下の構成を採用するものである。
楽曲情報に基づいて再生を行う楽曲再生処理と、
マイクロホンから入力される歌唱音声信号に基づいて歌唱評価を行う歌唱評価処理と、
前記楽曲再生処理中、前記歌唱評価が所定条件を満たしていない要練習区間を特定する区間特定処理と、
１楽曲分の前記楽曲情報について前記楽曲再生処理を終了した後、当該楽曲情報を最初から再生開始し、前記区間特定処理で特定した前記要練習区間に対し前記歌唱評価処理を実行し、前記要練習区間の歌唱評価が所定条件を満たした場合には、前記楽曲情報の再生を継続し、前記要練習区間の歌唱評価が所定条件を満たしていない場合には、前記要練習区間を含んだ繰り返し区間の先頭に戻って再生する反復練習処理と、を実行し、
前記反復練習処理において、前記要練習区間の前区間、あるいは、前記要練習区間を再生する際、ユーザに対して通知することを特徴とする。
【０００６】
さらに本発明に係るカラオケ装置は、
前記楽曲再生処理の終了時、ユーザに対して前記反復練習処理の実行の可否を問い、前記反復練習処理の実行が指定された場合、前記反復練習処理を実行することを特徴とする。
【０００７】
さらに本発明に係るカラオケ装置は、
予約された楽曲に対応する前記楽曲情報を、順次、前記楽曲再生処理で再生させる予約処理を実行可能とし、
前記楽曲再生処理の終了後、所定期間内に、前記反復練習処理の実行が指定されない場合、次に予約されている楽曲について前記楽曲再生処理を実行することを特徴とする。
【０００８】
さらに本発明に係るカラオケ装置は、
前記区間特定処理は、前記要練習区間を複数特定可能とし、
前記反復練習処理は、１の前記繰り返し区間を繰り返し再生し、当該繰り返し区間について前記歌唱評価が所定条件を満たした場合、次の前記繰り返し区間を繰り返し再生することを特徴とする。
【０００９】
さらに本発明に係るカラオケ装置において、
前記繰り返し区間には、前記要練習区間の前に前記楽曲情報を再生する前区間が設けられていることを特徴とする。
【００１０】
さらに本発明に係るカラオケ装置において、
前記繰り返し区間には、前記要練習区間の後に前記楽曲情報を再生する後区間が設けられていることを特徴とする。
【００１１】
さらに本発明に係るカラオケ装置において、
前記反復練習処理は、前記後区間において、前記要練習区間に対する前記歌唱評価に対応したメッセージを表示部に表示することを特徴とする。
さらに本発明に係るカラオケ装置は、
前記反復練習処理において、前記要練習区間の前区間、あるいは、前記要練習区間を再生する際、ユーザに対して通知することを特徴とする。
【００１２】
また本発明に係るカラオケ用プログラムは、
楽曲情報に基づいて再生を行う楽曲再生処理と、
マイクロホンから入力される歌唱音声信号に基づいて歌唱評価を行う歌唱評価処理と、
前記楽曲再生処理中、前記歌唱評価が所定条件を満たしていない要練習区間を特定する区間特定処理と、
１楽曲分の前記楽曲情報について前記楽曲再生処理を終了した後、当該楽曲情報を最初から再生開始し、前記区間特定処理で特定した前記要練習区間に対し前記歌唱評価処理を実行し、前記要練習区間の歌唱評価が所定条件を満たした場合には、前記楽曲情報の再生を継続し、前記要練習区間の歌唱評価が所定条件を満たしていない場合には、前記要練習区間を含んだ繰り返し区間の先頭に戻って再生する反復練習処理と、を情報処理装置に実行させ、
前記反復練習処理において、前記要練習区間の前区間、あるいは、前記要練習区間を再生する際、ユーザに対して通知することを特徴とする。
【発明の効果】
【００１３】
本発明に係るカラオケ装置、または、カラオケ用プログラムによれば、楽曲再生処理中に特定された要練習区間を、歌唱終了後に繰り返して練習することを可能とし、ユーザの歌唱能力向上を図ることが可能となる。特に、反復練習処理では、歌唱評価が所定条件を満たすことで、当該要練習区間の再生を終了するため、ユーザはカラオケ装置に対して何ら操作を必要とせず、歌唱練習に集中することが可能となる。また、楽曲再生処理では、再生を途中で巻き戻さないため、１の楽曲の再生が長時間となることがなく、また、通常のカラオケのような１楽曲を通しで歌唱する爽快感も損なわれることがない。
【００１４】
さらに本発明に係るカラオケ装置、または、カラオケ用プログラムによれば、楽曲再生処理の終了時に、ユーザに対して反復練習処理の実行の可否を問うこととしている。通常、カラオケ装置において付加機能を使用する場合、付加機能のモードに入った状態で楽曲を選択する、あるいは、楽曲の予約時に付加機能を選択する等、付加機能の使用を事前に選択しておく必要がある。本発明に係るカラオケ装置、または、カラオケ用プログラムによれば、ユーザは歌唱終了後、事後的に、反復練習処理を行うか否かを決定することが可能となる。ユーザは歌唱終了後の状況（スナック等のナイト店では混雑状況など）に配慮して反復練習処理の可否を選択することが可能となる。
【００１５】
さらに本発明に係るカラオケ装置、または、カラオケ用プログラムによれば、楽曲再生処理の終了後、所定期間内に、反復練習処理の実行が指定されない場合、次に予約されている楽曲情報について楽曲再生処理を実行することとしている。このような構成により、ユーザが反復練習処理をしない旨の入力をしない場合であっても、所定期間経過後、次に予約されている楽曲が自動で再生され、ユーザの操作を軽減することが可能となる。
【００１６】
さらに本発明に係るカラオケ装置、または、カラオケ用プログラムによれば、区間特定処理で要練習区間を複数特定するとともに、反復練習処理では、繰り返し区間を歌唱評価が所定条件を満たすまで、１つずつ繰り返し再生することとしている。このような構成により、ユーザは操作することなく、不得手な区間を１つずつ解消することが可能となる。そして、全ての繰り返し区間の再生を完了した場合には、楽曲全体の歌唱能力の向上が図られることになる。
【００１７】
さらに本発明に係るカラオケ装置、または、カラオケ用プログラムによれば、繰り返し区間には、要練習区間の前に前区間を設けたことで、ユーザは要練習区間の前から歌唱させることが可能である。要練習区間をいきなり再生した場合、ユーザは歌唱準備が整わない中、不自然に歌唱することが考えられるが、前区間に楽曲情報を再生することで、要練習区間の先頭から、自然な歌唱を行うことが可能となり、適切な歌唱評価を行うことが可能となる。また、この前区間は、ユーザに対して歌唱準備を通知する期間として使用することも可能である。
【００１８】
さらに本発明に係るカラオケ装置、または、カラオケ用プログラムによれば、繰り返し区間には、要練習区間の後に後区間を設けたことで、ユーザは要練習区間の末尾においても自然に歌唱を行い、適切な歌唱評価を行うことが可能となる。また、要練習区間の歌唱評価には処理時間を要する。この後区間において要練習区間の歌唱評価を実行することで、ユーザは、歌唱評価が行われている期間、何もせずに待つ必要がない。
【図面の簡単な説明】
【００１９】
【図１】本実施形態のカラオケシステムの構成を示す図
【図２】本実施形態の楽曲情報のデータ構成を示す図
【図３】本実施形態の楽曲再生処理を示すフロー図
【図４】本実施形態の反復練習処理を示すフロー図
【図５】本実施形態の通常再生画面を示す図
【図６】本実施形態の評価結果画面を示す図
【図７】本実施形態の要練習区間と繰り返し区間の関係を示す図
【図８】本実施形態の通常画面を示す図
【図９】本実施形態の前区間（準備期間）画面を示す図
【図１０】本実施形態の要練習区間（練習期間）画面を示す図
【図１１】本実施形態の後区間（判定期間）画面を示す図
【図１２】本実施形態の後区間（判定結果表示）画面を示す図
【図１３】本実施形態の反復練習結果表示画面を示す図
【発明を実施するための形態】
【００２０】
図１は、本発明の実施形態に係るカラオケシステムの構成を示す図である。本実施形態におけるカラオケシステムは、カラオケ装置２（コマンダ）と、リモコン装置１を含んで構成されている。なお、図１に示す例では、１台のカラオケ装置２に対して、リモコン装置１ａとリモコン装置１ｂ、２台のリモコン装置１が使用されている例である。これらリモコン装置１ａ、１ｂの構成は同一であるため、リモコン装置１として説明を行う。カラオケ装置２とリモコン装置１は、ＬＡＮ１００及びアクセスポイント１１０を利用してネットワークを形成するように接続されている。
【００２１】
カラオケボックスなどの店舗に設置されるカラオケ装置２は、楽曲を演奏するための演奏部として音響制御部２５を備えている。また、カラオケ装置２は、ユーザからの各種入力を受け付ける操作部２１を備える。カラオケ装置２は、操作部２１からの入力を解釈してＣＰＵ３０に伝達する操作処理部２２を備える。また、カラオケ装置２は、各種情報を記憶する記憶部としてのハードディスク３２を備える。カラオケ装置２は、ＬＡＮ１００に接続してネットワークに加入する通信手段としてのＬＡＮ通信部２４を備えている。
【００２２】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳、映像効果を付与する映像制御部３１を備えて構成される。
【００２３】
さらに、このカラオケ装置２では、外部に接続されるモニタ４１以外に、タッチパネルモニタ３３に対して各種情報を表示することを可能としている。タッチパネルモニタ３３は映像制御部３１から入力された映像情報を表示する表示部３５と、タッチ入力された位置を操作処理部２２に出力するタッチパネル３４が重畳されて構成されている。このタッチパネルモニタ３３は、カラオケ装置２の操作部、あるいは、リモコン装置１のタッチパネルモニタ１１などと同様、入力部として機能する。ユーザは、タッチパネルモニタ３３にて楽曲を選択することで、直接カラオケ装置２に予約をさせるなど、カラオケ装置２に対する各種操作を行うことが可能である。
【００２４】
さらに、カラオケ装置２は、各構成を統括して制御するためのＣＰＵ３０、各種プログラムを実行するにあたって必要となる情報を一時記憶するためのメモリ２７を備えて構成される。
【００２５】
このような構成にてカラオケ装置２は、各種処理を実行することとなるが、カラオケ装置２の主な機能として、楽曲予約処理、楽曲再生処理などを実行可能としている。楽曲予約処理は、ユーザからの指定に基づいて楽曲を指定、予約するための処理であってリモコン装置１と連携して実行される。ユーザの操作により、リモコン装置１などの入力部で指定された予約情報をメモリ２７中の予約テーブルに登録する。楽曲再生処理は、予約された楽曲を再生させる処理であって、楽曲演奏処理と歌詞再生処理とが同期して実行される処理である。
【００２６】
楽曲演奏処理は、楽曲情報に含まれる演奏情報に基づき、音響制御部２５に演奏を実行させる処理である。音響制御部２５にて演奏された楽曲は、マイクロホン４４ａ、４４ｂから入力される歌唱音声と一緒にスピーカ４２から放音される。歌詞再生処理は、楽曲情報に含まれる歌詞情報をモニタ４１に表示させることで歌唱補助を行う処理である。この歌詞再生処理で表示される歌詞に、背景映像を重畳させて表示させる背景映像表示処理を実行することとしてもよい。
【００２７】
一方、リモコン装置１は、歌唱する楽曲を選択する選曲処理を実行可能とし、予約情報などカラオケ装置２に対して各種指示を送信可能としている。また、リモコン装置１は、カラオケ装置２あるいはインターネット上に接続されたサーバ装置５から各種情報を受信し、ユーザに対して各種情報を提供することも可能である。本実施形態では、ユーザから各種指示を受け付けるユーザインターフェイスとして、操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００２８】
さらにリモコン装置１は、楽曲検索に必要とされるデータベース、各種プログラム、並びに、プログラム実行に伴って発生する各種情報を記憶する記憶部として、メモリ１４、そして、これら構成を統括して制御するためのリモコン側制御部を備えて構成される。リモコン側制御部には、ＣＰＵ１５、タッチパネルモニタ１１に対して表示する映像を形成する映像制御部１３、表示する映像情報を一時的に蓄えるビデオＲＡＭ１２、タッチパネルモニタ１１あるいは操作部１７からの入力を解釈してＣＰＵ１５に伝える操作処理部１８が含まれている。
【００２９】
また、リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信される。
【００３０】
このようなリモコン装置１の構成により、ユーザからの各種入力をタッチパネルモニタ１１、あるいは、操作部１７から受付けるとともに、映像情報をタッチパネルモニタ１１に表示することで、カラオケ装置２に対して楽曲予約などの各種指示を行うことが可能とされている。
【００３１】
図２は、カラオケ装置２で使用する楽曲情報のデータ構成を示す図である。楽曲情報は、楽曲情報に関連する各種情報であるメタ情報と、演奏等、各種処理を実行する実情報を含んで構成される。メタ情報には、楽曲情報を識別するための楽曲識別情報、楽曲名、歌手名、作詞者名、作曲者名、区間情報、原曲キーが含まれている。区間情報は、歌唱評価処理で使用する区間を定めた情報であり、例えば、楽曲中の小節に対応する区間を示す情報である。本実施形態の歌唱評価処理では、区間情報にて定められる評価区間毎に（例えば、４小節毎）、歌唱評価値が算出される。そして、楽曲終了時には、全ての評価区間の歌唱評価値を統合（平均、合計、重み付け加算など）して、最終的な歌唱評価値が算出される。原曲キー（オリジナルキーとも呼ばれる）は、楽曲情報に対する歌手が歌唱するオリジナルの音程キーを規定した情報である。カラオケ用プログラムでは、ユーザの操作に応じて原曲キーを使用することが可能である。
【００３２】
楽曲情報の実情報には、演奏情報、歌詞情報、基準音程情報が含まれている。演奏情報は、ＭＩＤＩ規格に基づいて電子楽器用の制御情報、あるいは、実際の演奏を録音した圧縮音声情報等で構成され、カラオケの伴奏音を演奏するための情報である。歌詞情報は、歌唱補助のため、演奏情報に同期して表示される情報であり、演奏に同期して表示された歌詞の色替えを行うように構成することも可能である。基準音程情報は、歌唱評価処理で使用される情報であり、歌唱の基準となる音高等を示す情報である。楽曲再生時、この基準音程情報を、マイクロホン４４ａ、４４ｂから入力される歌唱音声信号の音高と比較することで、ユーザの歌唱能力を評価することが可能である。
【００３３】
図３は、本実施形態の楽曲再生処理を示すフロー図である。リモコン装置１から送信された予約情報は、カラオケ装置２のメモリ２７で管理する予約テーブルに順次記憶される。カラオケ装置２は、予約テーブルのチェックを行い（Ｓ１０１）、次に再生すべき再生の楽曲があると判定した場合（Ｓ１０２：Ｙｅｓ）、楽曲情報の再生を開始する（Ｓ１０３）。図５には、楽曲再生処理中、モニタ４１に表示される通常再生画面が示されている。この通常再生画面には、背景映像上に楽曲の進行に同期して、歌詞文字４１１が表示され、ユーザは歌詞文字を参照しつつ歌唱することが可能である。この楽曲再生中、マイクロホン４４ａ、４４ｂから入力される歌唱音声情報に対する歌唱評価処理を実行する（Ｓ１０４）。
【００３４】
本実施形態の歌唱評価処理は、楽曲情報中に含まれる区間情報に基づいて定められる評価区間毎に、区間評価値が算出される。歌唱評価処理では、歌唱音程判定による音程評価値と、歌唱技術判定による技術判定値を使用して、評価区間毎の区間評価値を算出する。歌唱音程判定は、歌唱者が正しい音程で歌唱しているか否かを判定する処理である。楽曲情報中、歌唱旋律を示す情報を歌唱音声情報の音程と比較することで、音程に関する音程評価値が算出される。歌唱技術判定は、ビブラートやこぶしなど、歌唱技術に関する判定である。歌唱音声情報の音程が特定のパターンに合致することで、技術評価値が算出される。区間評価値は、音程評価値と技術評価値を重み付け加算する等して算出される。また、歌唱評価処理では、区間評価値が所定条件を満たしていない（例えば、区間評価値が所定値未満）評価区間を要練習区間として特定し、メモリ２７に記憶する。記憶した要練習区間は、後の反復練習処理で使用される。
【００３５】
楽曲再生が終了（Ｓ１０５：Ｙｅｓ）すると、歌唱評価処理で算出された評価区間毎の区間評価値に基づいて、楽曲全体の歌唱評価である歌唱評価値を算出し、モニタ４１等の表示手段に表示する（Ｓ１０６）。図６には、楽曲再生の終了後に表示される評価結果画面が示されている。この評価結果画面には、歌唱した楽曲について、歌手名、曲名といった楽曲関連情報、総合得点（「歌唱評価値」に相当）、歌唱結果表示バー４１２、実行スイッチ４１３、スキップスイッチ４１４が表示されている。歌唱結果表示バー４１２は、左端を楽曲の開始位置、右端を楽曲の終了位置としており、歌唱評価処理において、所定条件を満たしていないと判定された評価区間（要練習区間）の位置が斜線で示されている。図６の例は、楽曲中、３つの区間が要練習区間として判定された場合である。歌唱したユーザは、この歌唱結果表示バー４１２にて、楽曲の概略どの部分において、うまく歌唱できなかったかを確認することが可能である。
【００３６】
実行スイッチ４１３、スキップスイッチ４１４は、歌唱した楽曲内で要練習区間が１以上、ある場合（Ｓ１０８：Ｙｅｓ）に表示されるユーザインターフェイスである。このユーザインターフェイスを選択することで、要練習区間について反復練習処理を実行するか否かを選択することが可能である。ユーザは、要練習区間について反復練習を実行する場合には、カラオケ装置２の操作部２１、あるいは、リモコン装置１の操作部１７等の入力手段を使用して、実行スイッチ４１３を選択する。一方、反復練習を実行しない場合には、入力手段を使用してスキップスイッチ４１４を選択する。実行スイッチ４１３の選択（Ｓ１１０：実行）により、反復練習処理（Ｓ２００）が開始される。一方、スキップスイッチ４１４を選択した場合（Ｓ１１０：スキップ）には、楽曲再生処理の先頭に戻って、次の楽曲の再生に備える。
【００３７】
本実施形態では、このように、反復練習処理（Ｓ２００）を楽曲の再生後に、ユーザに選択させることで、予約時など楽曲の再生開始前に反復練習処理の実行可否を選択しておく必要が無い。また、複数人が集ってカラオケを楽しむ場では、歌唱後の時点での予約の状況や場の雰囲気を想定することは困難である。本実施形態では、反復練習処理を行う際、予約の状況や歌唱の場の雰囲気を把握して、反復練習処理の実行可否を選択することが可能となっている。特に、本実施形態の反復練習処理は、要練習区間がうまく歌えるまで終えることができず、歌唱の状況に次第では、時間のかかる形態であるため、その開始直前の状況を把握した上で選択できることは有用である。
【００３８】
また、本実施形態では、要練習区間がない場合（Ｓ１０８：Ｎｏ）、反復練習の指示が入力されない場合（Ｓ１０９：Ｎｏ）には、所定経過期間が経過した（Ｓ１０７：Ｙｅｓ）ことを条件として、楽曲再生処理の先頭に戻って、次の楽曲の再生に備えることとしている。このような構成により、反復練習について指示入力を行わなかった場合、次の楽曲の再生を自動実行することが可能であり、ユーザの手を煩わすことが無い。
【００３９】
図７は、本実施形態の要練習区間と繰り返し区間の関係を示す図である。反復練習処理では、要練習区間についての歌唱評価を行うことになるが、本実施形態では、要練習区間の前後に冗長な区間を設けることとしている。図７に示されるように、本実施形態では、要練習区間の前に前区間、要練習区間の後ろに後区間を設け、前区間、要練習区間、後区間を含む繰り返し区間について楽曲情報を再生することとしている。要練習区間は、評価区間によって規定されるため、要練習区間の先端位置ｔ２と後端位置ｔ３は、楽曲情報中の区間情報に応じた位置となる。前区間の先端位置ｔ１は、区間情報に基づいて定める、あるいは、ｔ２から所定時間（例えば、５秒）前のタイミングとする等の形態を採用することが可能である。また、後区間の後端位置ｔ４についても同様であって、要練習区間の後に位置する区間情報に基づいて定める、あるいは、ｔ３から所定時間（例えば、１０秒）前のタイミングとする等の形態を採用することが可能である。
【００４０】
本実施形態では、歌唱評価の対象となる要練習区間の前に前区間を設け、この前区間において楽曲情報を再生することで、要練習区間の前からユーザに歌唱を行わせ、要練習区間の開始前から歌唱させることが可能である。要練習区間をいきなり再生した場合、ユーザは歌唱準備が整わない中、不自然に歌唱することが考えられるが、前区間に楽曲情報を再生することで、要練習区間の先頭から、自然な歌唱を行うことが可能となり、適切な歌唱評価を行うことが可能となる。また、この前区間は、ユーザに対して歌唱準備を通知する期間として使用することも可能である。また、要練習区間の後に後区間を設け、この後区間においても要練習区間に引き続いて楽曲情報を再生することで、ユーザは要練習区間の末尾においても自然に歌唱を行い、適切な歌唱評価を行うことが可能となる。また、要練習区間に対する歌唱評価には処理時間を要する。この後区間において要練習区間の歌唱評価を実行することで、ユーザは、歌唱評価が行われている期間、何もせずに待つ必要がない。
【００４１】
図４は、本実施形態の反復練習処理（Ｓ２００）を示すフロー図である。反復練習処理は、楽曲再生処理における楽曲の再生終了後、ユーザが反復練習の実行指示を入力する（Ｓ１０９：Ｙｅｓ）ことで開始される処理である。反復練習処理が開始されると、反復練習の対象となる楽曲情報、すなわち、直前の楽曲再生処理で再生を行った楽曲情報の再生を開始する（Ｓ２０１）。本実施形態では、反復練習の対象となる楽曲を最初から再生し、要練習区間に対して歌唱評価を行うこととしている。また、要練習区間の歌唱評価が所定条件を満たしていない場合には、再度、要練習区間を再生することとしている楽曲の再生が開始されると、現在、再生している箇所が、前区間であるか、要練習区間であるか、後区間であるか、その他の区間であるかが判定される。
【００４２】
図８には、反復練習処理中に表示される通常画面が示されている。この通常表示画面は、反復練習処理中、前区間、要練習区間、後区間以外の区間（Ｓ２１２：Ｎｏ）においてモニタ４１に表示される画面（Ｓ２１４）である。通常画面には、歌詞文字４１１と、進行状況表示バー４１６が表示される。歌詞文字４１１は、楽曲情報の再生に同期して表示され、ユーザはこの歌詞文字４１１を視認しつつ歌唱を行う。進行状況表示バー４１６は、左端を楽曲の開始位置、右端を楽曲の終了位置とし、楽曲の再生位置を示す現在位置４１７が表示される。また、進行状況表示バー４１６は、要練習区間の位置が斜線で表示される。ユーザは、この進行状況表示バー４１６を参照することで、現在、どの位置を歌唱しているかを確認することが可能である。
【００４３】
楽曲情報の再生進行に伴い、前区間の再生に入る（Ｓ２１２：Ｙｅｓ）と、モニタ４１には、前区間画面が表示される（Ｓ２１３）。図９には、本実施形態の前区間（準備期間）画面が示されている。本実施形態の繰り返し練習処理では、通常画面と同様、歌詞文字４１１と、進行状況表示バー４１６に加えて、状況メッセージ４１５が表示される。この状況メッセージ４１５は、反復練習処理の実行状況を示すメッセージで有り、要練習区間の前に位置する前区間では、「反復練習準備中」と表記されたメッセージが表示される。ユーザは、前区間画面に表示された状況メッセージを確認することで、要練習区間に備えることが可能である。なお、この状況メッセージ４１５には、要練習区間再生までに要する時間（秒数など）をカウントダウン形式で表示することとしてもよい。
【００４４】
前区間の再生が終了し、要練習区間の再生に入る（Ｓ２０２：Ｙｅｓ）と、モニタ４１には要練習区間画面が表示される（Ｓ２０３）。また、この要練習区間において、カラオケ装置２は、要練習区間中に入力される歌唱音声情報に対して、歌唱評価処理（Ｓ２０４）を実行する。この歌唱評価処理（Ｓ２０４）は、楽曲再生処理中に実行した歌唱評価処理（Ｓ１０４）と同じ処理としてもよいが、処理内容を異ならせることとしてもよい。例えば、歌唱評価処理（Ｓ１０４）では、歌唱音程判定と歌唱技術判定を行い、評価区間毎の区間評価値を算出していたが、この歌唱評価処理（Ｓ２０４）では、歌唱音程判定のみを行うこととしてもよい。また、楽曲再生処理時の歌唱評価処理（Ｓ１０４）と、繰り返し再生処理時の歌唱評価処理（Ｓ２０４）とでは、所定条件（例えば、区間評価値の閾値を異ならせるなど）を異ならせることとしてもよい。
【００４５】
図１０には、本実施形態の要練習区間（練習期間）画面が示されている。この要練習区間画面は、要練習区間中に表示される画面であって、図９の前区間画面と同様、歌詞文字４１１、進行状況表示バー４１６、状況メッセージ４１５がモニタ４１上に表示される。図の例では、現在位置４１７は、第１要練習区間４１８ａ上に位置しており、１番目の要練習区間が再生されている状況を示している。また、状況メッセージ４１５には、「反復練習中！！」というメッセージが表記されており、ユーザは、この状況メッセージ４１５を視認することで、現在、歌唱評価の判定対象となる要練習区間であることを確認することが可能である。
【００４６】
要練習区間が終了し、後区間の再生に入る（Ｓ２０５：Ｙｅｓ）と、図７に示す後区間における楽曲情報の再生期間となる。この後区間では、後区間画面が表示される（Ｓ２０６）。また、後区間では、歌唱評価の判定、すなわち、要練習区間について行われた歌唱評価処理について判定が行われる（Ｓ２０７）。本実施形態では、歌唱評価処理で算出された評価値が所定条件を満たしているか否かが判定される。本実施形態の所定条件としては、歌唱評価処理で算出された区間評価値が閾値以上であることを使用している。この他、所定条件としては、１回目の歌唱、すなわち、要練習区間について楽曲再生処理で算出された区間評価値を超えたことを採用するなど、各種形態を採用することが可能である。歌唱評価処理（Ｓ２０３）について、時間を必要とする場合には、この後区間を使用して引き続き、要練習区間の歌唱評価処理（Ｓ２０３）、及び、歌唱評価の判定を行ってもよい。
【００４７】
図１１には、本実施形態の後区間（判定期間）画面が示されている。この後区間画面は、後区間区間中に表示される画面であって、図９の前区間画面と同様、歌詞文字４１１、進行状況表示バー４１６、状況メッセージ４１５がモニタ４１上に表示される。図の例では、現在位置４１７は、第１要練習区間４１８ａの後に位置しており、１番目の要練習区間が終了した状況を示している。また、状況メッセージ４１５には、「結果判定中…」というメッセージが表記されており、ユーザは、この状況メッセージ４１５を視認することで、現在、第１要練習区間４１８ａについて歌唱評価の判定が行われていることを確認することが可能である。この後区間では、要練習区間に引き続いて楽曲情報が再生されるため、ユーザは、判定を行っている期間中においてもただ判定を待つだけで無く、歌唱を続けることが可能である。
【００４８】
後区間中、歌唱評価の判定（Ｓ２０７）が完了すると、モニタ４１には、歌唱評価の判定結果が表示される（Ｓ２０８）。図１２には、本実施形態の後区間（判定結果表示）画面が示されている。図１２（Ａ）は、判定結果が所定条件を満たした場合（Ｓ２０８：Ｙｅｓ）に表示される後区間画面（Ｓ２０９）である。また、図１２（Ｂ）は、判定結果が所定条件を満たさなかった場合（Ｓ２０８：Ｎｏ）に表示される後区間画面（Ｓ２１０）である。両画面ともに、歌詞文字４１１、進行状況表示バー４１６、状況メッセージ４１５が表示されるが、状況メッセージ４１５の表示内容において異なっている。判定結果が所定条件を満たしていない場合（Ｓ２０８：Ｎｏ）には、再度、同じ要練習区間に関する再生を開始する（Ｓ２１１）。本実施形態では、同じ要練習区間について、その前区間の先頭から再生を開始する。このように本実施形態では、要練習区間に対する歌唱評価が所定条件を満たすまで繰り返し、楽曲情報の再生が行われる。したがって、反復練習処理は、ユーザの歌唱評価が所定条件を満たすまで、あるいは、反復練習処理の終了が指示されるまで終えることができない。反復練習処理の終了指示は、リモコン装置１の操作部１７、あるいは、カラオケ装置２の操作部２１など、各種入力手段から入力することが可能である。一方、要練習区間の歌唱評価が条件を満たした場合には、楽曲情報の再生がそのまま継続される。楽曲情報の再生が進行し、楽曲情報の再生終了が判定される（Ｓ２１５：Ｙｅｓ）と、モニタ４１に反復練習結果を表示（Ｓ２１６）して、一連の反復練習処理を終了する。
【００４９】
図１３には、本実施形態の反復練習結果表示画面が示されている。反復練習結果表示画面は、反復練習処理の終了後に表示される画面であり、反復練習を行ったユーザに対して、歌手名及び曲名といった楽曲情報の他、歌唱結果表示バー４１２が表示されている。本実施形態の歌唱結果表示バー４１２は、左端を楽曲の開始位置、右端を楽曲の終了位置とし、各要練習区間の位置が斜線で示されている。また、各要練習区間について、所定条件を満たすために歌唱した回数（再生回数）が表示されている。なお、この反復練習結果表示画面には、各要練習区間について算出された評価値を表示することとしてもよい。また、ユーザがログインして使用できるカラオケシステムにおいては、この反復練習結果（各要練習区間の再生回数や評価値など）を、楽曲を再生したユーザに対応付けて記憶管理することとしてもよい。
【００５０】
反復練習処理において、要練習区間が連続した場合など、要練習区間、後区間、前区間の各表示（Ｓ２０３、Ｓ２０６、Ｓ２１３）が重なることがある。このため、練習区間に対する分岐処理（Ｓ２０２、Ｓ２０５、Ｓ２１２）の順序については、先頭に（Ｓ２０２）、次に（Ｓ２０５）、そして（Ｓ２１２）の順となっている。この順により、各区間の表示が重なった場合でも、表示の優先順位は、歌唱評価である要練習区間の画面表示が最優先（Ｓ２０３）となり、次の優先として、その結果表示（Ｓ２０６）、そして、歌唱準備のための表示（Ｓ２１３）、歌唱評価を行わない無関係な表示（Ｓ２１４）で表示を行なうようにしている。このように、要練習区間、後区間、前区間の順で、優先的に各表示を行うことで、各区間が重なった場合においても、各区間の情報を重複して表示することなく、歌唱するユーザにとって必要な情報を優先して表示することとしている。
【００５１】
以上、本実施形態の反復練習処理では、楽曲情報を最初から再生開始し、要練習区間の歌唱評価が所定条件を満たすことで、引き続き再生を継続し、楽曲情報の最後まで再生する形態を採用しているが、反復練習処理では、楽曲情報の最初から最後まで再生する形態に代え、要練習区間を含む区間（例えば、図７の繰り返し区間）のみを再生することとしてもよい。例えば、楽曲再生処理において、複数の要練習区間が特定された場合、要練習区間を含む繰り返し区間の再生後、当該要練習区間の歌唱評価が所定条件を満たした場合、次の要練習区間を含む繰り返し区間が再生される。また、当該練習区間の歌唱評価が所定条件を満たさなかった場合、同じ、繰り返し区間が再生される。最後の要練習区間を含んだ繰り返し区間について、歌唱評価が所定条件を満たすことで、反復練習処理が終了することになる。
【符号の説明】
【００５２】
１（１ａ、１ｂ）：リモコン装置            ２９：映像再生部
２：カラオケ装置                          ３０：ＣＰＵ
５：サーバ装置                            ３１：映像制御部
１１：タッチパネルモニタ                  ３２：ハードディスク
１１ａ：表示部                            ３３：タッチパネルモニタ
１１ｂ：タッチパネル                      ３４：タッチパネル
１２：ビデオＲＡＭ                        ３５：表示部
１３：映像制御部                          ４１：モニタ
１４：メモリ                              ４２：スピーカ
１５：ＣＰＵ                              ４４ａ、４４ｂ：マイクロホン
１６：無線ＬＡＮ通信部                    １１０：アクセスポイント
１７：操作部                              ４１１：歌詞文字
１８：操作処理部                          ４１２：歌唱結果表示バー
２１：操作部                              ４１３：実行スイッチ
２２：操作処理部                          ４１４：スキップスイッチ
２４：ＬＡＮ通信部                        ４１５：状況メッセージ
２５：音響制御部                          ４１６：進行状況表示バー
２７：メモリ                              ４１７：現在位置
２８：ビデオＲＡＭ                        ４１８：要練習区間
【図１】
0006528473.tif 000002
【図２】
0006528473.tif 000003
【図３】
0006528473.tif 000004
【図４】
0006528473.tif 000005
【図５】
0006528473.tif 000006
【図６】
0006528473.tif 000007
【図７】
0006528473.tif 000008
【図８】
0006528473.tif 000009
【図９】
0006528473.tif 000010
【図１０】
0006528473.tif 000011
【図１１】
0006528473.tif 000012
【図１２】
0006528473.tif 000013
【図１３】
0006528473.tif 000014